(57)【要約】【課題】  フロントキャビネットの外観を良好に維持すること。【解決手段】  フロントキャビネット２ａの裏面の当てリブ７より外側に周方向に所定間隔をおいて複数のボス８が一体突設されており、フロントキャビネット２ａの開口部３に液晶モジュ−ル１を配置することにより、該液晶モジュ−ル１のベゼル１０を当てリブ７に当接させ、該ベゼル１０から延びるフランジ１０ａを各ボス８の先端面に対向させ、フロントキャビネット２ａにリアキャビネットを嵌合させ、該リアキャビネットのボス１１から前記フランジ１０ａを貫通してフロントキャビネット２ａの各ボス８にビス１４をねじ込んで、そのフロントキャビネット２ａ及びリアキャビネットと液晶モジュ−ル１とを一体に連結した薄型表示装置において、前記フロントキャビネット２ａの裏面に各ボス８と当てリブ７とをつなぐ補強リブ１６が一体形成されている。【選択図】        図１
2010252213.tif 000002
【特許請求の範囲】
【請求項１】
フロントキャビネットの裏面の開口部にロ字状縁枠が一体形成され、該ロ字状縁枠に接
近して平行する複数の主リブ及び該各主リブとロ字状縁枠とをつなぐ複数の副リブからな
る当てリブがフロントキャビネットの裏面に一体形成され、フロントキャビネットの裏面
の当てリブより外側に周方向に所定間隔をおいて複数のボスが一体突設されており、フロ
ントキャビネットの開口部に薄型表示部を配置することにより、該薄型表示部の外周のベ
ゼルを当てリブに当接させ、該ベゼルから延びるフランジを各ボスの先端面に対向させ、
フロントキャビネットにリアキャビネットを嵌合させ、該リアキャビネットから前記フラ
ンジを貫通してフロントキャビネットの各ボスにビスをねじ込んで、そのフロントキャビ
ネット及びリアキャビネットと薄型表示部とを一体に連結した薄型表示装置において、前
記フロントキャビネットの裏面に各ボスと当てリブとをつなぐ補強リブが一体形成されて
いることを特徴とする薄型表示装置。
【請求項２】
前記補強リブのベゼル対向面が当てリブのベゼル当接面と面一状に形成されていること
を特徴とする請求項１に記載の薄型表示装置。
【請求項３】
前記補強リブとボスとの間のコーナ部に略三角形状のコーナ補強片が一体形成されてい
ることを特徴とする請求項２に記載の薄型表示装置。
【発明の詳細な説明】
【技術分野】
【０００１】
本発明は、例えば液晶テレビなどの薄型表示装置に関し、特に、フロントキャビネット
の外観を良好に維持することができるようにしたものである。
【背景技術】
【０００２】
薄型表示装置の一例として図３に示すものがあり、これは液晶テレビであって、液晶モ
ジュ−ル（薄型表示部）１がフロントキャビネット２ａ及びリアキャビネット２ｂからな
るキャビネット２内に配置され、フロントキャビネット２ａの開口部３に液晶モジュ−ル
１のセル面１ａが対向されている。なお、４はスタンドである。
【０００３】
液晶テレビの外観上の体裁を良好にするためには、液晶モジュ−ル１のセル面１ａと開
口部３との間の隙間ｔを均一にする必要がある。
【０００４】
そこで、図４のフロントキャビネット２ａの斜視図に誇張して示すように、開口部３の
上下左右の各辺部３ａ〜３ｄを大きな曲率半径で逆アール状に湾曲させて、実際上は目視
で確認することはできないが、各辺部３ａ〜３ｄの中央部をその両端部よりも後方にわず
かの間隔β（例えば０．１〜０．５ｍｍ）分だけ突出させており、セット組立時に、液晶
モジュ−ル１により各辺部３ａ〜３ｄの中央部をβ分だけ押し下げることにより、その各
辺部３ａ〜３ｄを直線状にして、液晶モジュ−ル１のセル面１ａと開口部３との間の隙間
ｔを均一にしている。
【０００５】
図５〜図７は従来の液晶モジュ−ル１の組立構造を示すものであり、図５は同フロント
キャビネット２ａの裏面図、図６は同要部の斜視図、図７（ａ）〜（ｃ）は組立手順を示
す要部の横断面図である。
【０００６】
図５及び図６に示すように、フロントキャビネット２ａの裏面の開口部３にロ字状縁枠
６が一体形成され、該ロ字状縁枠６に接近して平行する複数の主リブ７Ａ及び該各主リブ
７Ａとロ字状縁枠６とをつなぐ複数の副リブ７Ｂからなる当てリブ７がフロントキャビネ
ット２ａの裏面に一体形成され、フロントキャビネット２ａの裏面の当てリブ７より外側
に周方向に所定間隔をおいて複数のボス８が一体突設され、該各ボス８は、フロントキャ
ビネット２ａの裏面に一体形成した四角形状の基礎枠部８ａと、該基礎枠部８ａの裏面に
一体突設したボス本体８ｂとから形成されている。
【０００７】
液晶モジュ−ル１の組立手順を説明すると、図７（ａ）に示すように、液晶モジュ−ル
１をその外周のベゼル１０を介して当てリブ７に当接させることにより、開口部３の各辺
部３ａ〜３ｄの中央部をβ分だけ仮想線Ｋで示す位置まで押し下げ、図７（ｂ）に示すよ
うに、各辺部３ａ〜３ｄを直線状にして、液晶モジュ−ル１のセル面１ａと開口部３との
間の隙間ｔを均一にする。
【０００８】
続いて、図７（ｃ）に示すように、フロントキャビネット２ａにリアキャビネット２ｂ
を嵌合させ、該リアキャビネット２ｂに一体形成したボス１１の底板部のビス挿通孔１２
及びベゼル１０に一体形成したフランジ１０ａのビス挿通孔１３を通ってフロントキャビ
ネット２ａの各ボス８の中空孔にビス１４をねじ込むことにより、液晶モジュ−ル１とフ
ロントキャビネット２ａ及びリアキャビネット２ｂとを一体的に連結する。なお、関連す
る技術として特許文献１に記載したものがある。
【先行技術文献】
【特許文献】
【０００９】
【特許文献１】特開２００７−１１０５７８号公報
【発明の概要】
【発明が解決しようとする課題】
【００１０】
上記従来の構成では、図７（ｂ）に示すように、フロントキャビネット２ａの各ボス８
と当てリブ７との間に薄肉部分Ｈがあり、液晶モジュ−ル１を当てリブ７に当接させて開
口部３の各辺部３ａ〜３ｄの中央部をβ分だけ押し下げたときに、その押下力Ｐで薄肉部
分Ｈが撓んで各ボス８が矢印Ａ方向に傾き、該各ボス８の軸心Ｏ１も同方向Ａに傾いてフ
ランジ１０ａのビス挿通孔１３の軸心Ｏ２に対して傾斜角度α分ずれることになる。続い
て、図７（ｃ）に示すように、各ボス８の中空孔にビス１４をねじ込むことにより、その
各ボス８が矢印Ａ方向とは逆方向Ｂに傾斜角度α分だけ元の状態に戻され、その戻しによ
り生じた曲げ応力が各ボス８と薄肉部分Ｈとの間に集中的にかかるから、フロントキャビ
ネット２ａの表面の各ボス８と薄肉部分Ｈとの間に窪みＣが発生し、フロントキャビネッ
ト２ａの外観上の体裁が悪くなる。
【００１１】
本発明は、上記従来の欠点に鑑み、フロントキャビネットの外観を良好に維持すること
ができるようにした薄型表示装置を提供することを目的としている。
【課題を解決するための手段】
【００１２】
上記目的を達成するため、請求項１に記載の発明は、フロントキャビネットの裏面の開
口部にロ字状縁枠が一体形成され、該ロ字状縁枠に接近して平行する複数の主リブ及び該
各主リブとロ字状縁枠とをつなぐ複数の副リブからなる当てリブがフロントキャビネット
の裏面に一体形成され、フロントキャビネットの裏面の当てリブより外側に周方向に所定
間隔をおいて複数のボスが一体突設されており、フロントキャビネットの開口部に薄型表
示部を配置することにより、該薄型表示部の外周のベゼルを当てリブに当接させ、該ベゼ
ルから延びるフランジを各ボスの先端面に対向させ、フロントキャビネットにリアキャビ
ネットを嵌合させ、該リアキャビネットから前記フランジを貫通してフロントキャビネッ
トの各ボスにビスをねじ込んで、そのフロントキャビネット及びリアキャビネットと薄型
表示部とを一体に連結した薄型表示装置において、前記フロントキャビネットの裏面に各
ボスと当てリブとをつなぐ補強リブが一体形成されていることを特徴としている。
【００１３】
請求項２に記載の発明は、請求項１に記載の発明において、前記補強リブのベゼル対向
面が当てリブのベゼル当接面と面一状に形成されていることを特徴としている。
【００１４】
請求項３に記載の発明は、請求項２に記載の発明において、前記補強リブとボスとの間
のコーナ部に略三角形状のコーナ補強片が一体形成されていることを特徴としている。
【発明の効果】
【００１５】
請求項１に記載の発明によれば、補強リブによりフロントキャビネットの各ボスと当て
リブとの間の薄肉部分が補強されており、薄型表示部のベゼルを当てリブに当接させて開
口部の各辺部の中央部を押し下げたときに、その押下力で従来のように薄肉部分が撓んで
各ボスが傾くことがないから、該各ボスの中空孔にビスをねじ込んだときに、各ボスと薄
肉部分との間に曲げ応力が集中的にかかることがなくなり、フロントキャビネットの表面
の各ボスと薄肉部分との間に従来にように窪みが発生することがなく、そのフロントキャ
ビネットの外観上の体裁を良好に維持することができる。
【００１６】
請求項２に記載の発明によれば、補強リブのベゼル対向面と当てリブベゼル当接面とで
薄型表示部の重みを分散して受け止めているので、フロントキャビネットの薄肉部分が一
層撓まないようにすることができる。
【００１７】
請求項３に記載の発明によれば、コーナ補強片により補強リブとボスとの間が補強され
ているから、そのボスの直立姿勢を確実に維持することができる。
【図面の簡単な説明】
【００１８】
【図１】本発明の実施の一形態である薄型表示装置の要部の斜視図である。
【図２】（ａ）〜（ｃ）は同組立手順を示す要部の横断面図である。
【図３】薄型表示装置の一例を示す斜視図である。
【図４】同フロントキャビネットの斜視図である。
【図５】従来のフロントキャビネットの裏面図である。
【図６】同要部の斜視図である。
【図７】（ａ）〜（ｃ）は同組立手順を示す要部の横断面図である。
【発明を実施するための形態】
【００１９】
図１及び図２は本発明の実施の一形態である薄型表示装置を示すものであり、これは液
晶テレビであって、フロントキャビネット２ａの裏面の薄肉部分Ｈに各ボス８の基礎枠部
８ａと当てリブ７とをつなぐ一対の補強リブ１６が一体形成され、該各補強リブ１６のベ
ゼル対向面１６ａが当てリブ７のベゼル当接面７ａと面一状に形成され、補強リブ１６と
基礎枠部８ａとの間のコーナ部に略三角形状のコーナ補強片１７が一体形成されている。
上記以外の構成は図３〜図７に示す構成とほぼ同じであるから、同一部分に同一符号を付
してその説明を省略する。
【００２０】
液晶モジュ−ル１の組立手順を説明すると、図２（ａ）に示すように、液晶モジュ−ル
１をその外周のベゼル１０を介して当てリブ７及び補強リブ１６に当接させることにより
、開口部３の各辺部３ａ〜３ｄの中央部をβ分だけ仮想線Ｋで示す位置まで押し下げ、図
２（ｂ）に示すように、各辺部３ａ〜３ｄを直線状にして、液晶モジュ−ル１のセル面１
ａと開口部３との間の隙間ｔを均一にする。
【００２１】
続いて、図２（ｃ）に示すように、フロントキャビネット２ａにリアキャビネット２ｂ
を嵌合させ、該リアキャビネット２ｂに一体形成したボス１１の底板部のビス挿通孔１２
及びベゼル１０に一体形成したフランジ１０ａのビス挿通孔１３を通ってフロントキャビ
ネット２ａの各ボス８の中空孔にビス１４をねじ込むことにより、液晶モジュ−ル１とフ
ロントキャビネット２ａ及びリアキャビネット２ｂとを一体的に連結する。
【００２２】
上記構成によれば、補強リブ１６によりフロントキャビネット２ａの各ボス８と当てリ
ブ７との間の薄肉部分Ｈが補強されており、液晶モジュ−ル１のベゼル１０を当てリブ７
に当接させて開口部３の各辺部３ａ〜３ｄの中央部を押し下げたときに、その押下力で従
来のように薄肉部分Ｈが撓んで各ボス８が傾くことがなく、各ボス８の軸心Ｏ１とフラン
ジ１０ａのビス挿通孔１３の軸心Ｏ２とが一致し、該各ボス８が傾くことなく真っ直ぐに
起立しているから、その各ボス８の中空孔にビス１４をねじ込んだときに、各ボス８と薄
肉部分Ｈとの間に曲げ応力が集中的にかかることがなくなり、フロントキャビネット２ａ
の表面の各ボス８と薄肉部分Ｈとの間に従来にように窪みＣ〔図７（ｃ）参照〕が生じる
ことがなく、そのフロントキャビネット２ａの外観上の体裁を良好に維持することができ
る。
【００２３】
また、補強リブ１６のベゼル対向面１６ａと当てリブ７のベゼル当接面７ａとで液晶モ
ジュ−ル１の重みを分散して受け止めているので、フロントキャビネット２ａの薄肉部分
Ｈが一層撓まないようにすることができる。
【００２４】
更に、コーナ補強片１７により補強リブ１６とボス８との間が補強されているから、そ
のボス８の直立姿勢を確実に維持するすることができる。
【産業上の利用可能性】
【００２５】
上記の実施の形態では、液晶テレビを例にあげて説明したが、これに限定される分けで
はなく、例えば液晶モニターなどの各種薄型表示装置にも適用される。
【符号の説明】
【００２６】
１        液晶モジュ−ル（薄型表示部）
２ａ      フロントキャビネット
２ｂ      リアキャビネット
３        開口部
６        ロ字状縁枠
７        当てリブ
７Ａ      主リブ
７Ｂ      副リブ
７ａ      当てリブのベゼル当接面
８        ボス
１０      ベゼル
１０ａ    ベゼルのフランジ
１４      ビス
１６      補強リブ
１６ａ    補強リブのベゼル対向面
１７      コーナ補強片
【図１】
2010252213.tif 000003
【図２】
2010252213.tif 000004
【図３】
2010252213.tif 000005
【図４】
2010252213.tif 000006
【図５】
2010252213.tif 000007
【図６】
2010252213.tif 000008
【図７】
2010252213.tif 000009